(57)【要約】【課題】織り込みにより、多色の図柄を織り出すことができ、しかも、それぞれ異なる色に染色した藺草を同列に多数使用する必要がなく、薄く、軽量につくることができる茣蓙の製造方法を提供する。【解決手段】茣蓙の製造方法は、多色の図柄を作製して、着色の設計をする工程と、着色の設計に合わせて、一又は二以上の色で藺草原草を長さ方向に色分けするように、図柄として表出する部分の全周を染色する工程と、染色した藺草を設計通りに織り込んで、図柄を織り出す工程とを備える。【選択図】図３
2015223223.tif 000002
【特許請求の範囲】
【請求項１】
多色の図柄を作製して、着色の設計をする工程と、
該着色の設計に合わせて、一又は二以上の色で藺草原草を長さ方向に色分けするように、前記図柄として表出する部分の全周を染色する工程と、
該染色した藺草を前記設計通りに織り込んで、前記図柄を織り出す工程とを備える
茣蓙の製造方法。
【請求項２】
藺草原草の染色を、経糸方向の所要の区分ごとに、使用する藺草原草をまとめて行う
請求項１の茣蓙の製造方法。
【請求項３】
藺草原草の染色を捺染により行う
請求項１又は２の茣蓙の製造方法。
【発明の詳細な説明】
【技術分野】
【０００１】
本発明は、茣蓙の製造方法に関するものである。更に詳しくは、織り込みにより、多色の図柄を織り出すことができ、しかも、染色した藺草を大量に使用することなく、薄く、軽量につくることができる茣蓙の製造方法に関する。
【背景技術】
【０００２】
藺草を織成した茣蓙には、表面に図柄を施した、いわゆる花茣蓙がある。花茣蓙には、染色しない泥染めのままの藺草で織った無地の茣蓙の表面に捺染により図柄を施したものの他、染色した藺草と染色しない泥染めの藺草とを混合して織り込み、図柄を織り出したものがある（例えば、特許文献１参照）。捺染によるものは、例えば座布団等の小物を作る茣蓙に多く使用され、織り込みによるものは、敷物としての茣蓙に多く使用されている。
【０００３】
上記特許文献１に記載の敷物は、表面に表れる着色藺草の線の太さや長さあるいは間隔に調子をつけて着色模様を表現することで、淡くうっすらとした色合いで落ち着きのある新規な着色模様を施すことができるものである。このように、織り込みによって図柄を織り出す場合、いわゆる普通織りでは、使用できる色数は横方向（緯方向）に対して二色である。これに対し、二重織り、或いは三重織り等の袋織りによれば、三色以上の多色の図柄を織り出すことが可能である。
【先行技術文献】
【特許文献】
【０００４】
【特許文献１】特開平１１−３１８６８５号公報
【発明の概要】
【発明が解決しようとする課題】
【０００５】
しかしながら、上記のように袋織り等の織り込みにより多色の図柄を織り出す方法には、次のような課題があった。
すなわち、従来、緯糸（藺草）方向の同列において、例えば三色を使用して図柄を織り出す場合には、三色の色毎に全体を染色した藺草を使用し、染色しない泥染めの藺草と混合して所定の割合で袋織りによって織り込んでおり、染色部分のごく一部しか表出しないにも関わらず、染色した三色の藺草を同列に使用する必要があった。このため、必然的に茣蓙が厚く、重くなり、取り扱いがしにくくなる課題があった。
【０００６】
本発明は、以上の点に鑑みて創案されたものであり、織り込みにより、多色の図柄を織り出すことができ、しかも、それぞれ異なる色に染色した藺草を同列に多数使用する必要がなく、薄く、軽量につくることができる茣蓙の製造方法を提供することを目的とする。
【課題を解決するための手段】
【０００７】
（１）本発明は、多色の図柄を作製して、着色の設計をする工程と、該着色の設計に合わせて、一又は二以上の色で藺草原草を長さ方向に色分けするように、前記図柄として表出する部分の全周を染色する工程と、該染色した藺草を前記設計通りに織り込んで、前記図柄を織り出す工程とを備える茣蓙の製造方法である。
【０００８】
（２）本発明は、藺草原草の染色を、経糸方向の所要の区分ごとに、使用する藺草原草をまとめて行う構成とすることができる。
【０００９】
この場合は、使用する藺草原草をまとめて染色することにより、効率のよい染色作業が可能になる。
【００１０】
（３）本発明は、藺草原草の染色を捺染により行う構成とすることができる。
【００１１】
この場合は、例えば藺草の両端部分の染色は可能であるが、中間部分の染色が困難な浸染による染め（漬け染め）とは異なり、一又は二以上の色で藺草原草を長さ方向に色分けするように、図柄として表出する部分の全周を染色する作業を比較的容易に行うことができる。
【００１２】
本明細書及び特許請求の範囲にいう「多色の図柄」とは、染色しない泥染めのままの藺草の色を含み、二以上の異なる色が使用されてデザインされた図柄のことをいう。
【００１３】
（作用）
本発明の茣蓙の作用を説明する。
本発明の多色の図柄を施した茣蓙、いわゆる花茣蓙は、一又は二以上の色で藺草原草を長さ方向に色分けするようにして図柄として表出する部分の全周を染色した藺草を使用して図柄を織り出したものである。
【００１４】
上記したように、従来の袋織りでは、緯糸（藺草）方向の同列において、例えば三色を使用して図柄を織り出す場合には、三色の色毎に全体を染色した藺草を使用し、染色しない泥染めの藺草と混合して所定の割合で袋織りによって織り込んでいたのに対し、本発明では、上記場合で、図柄の着色の設計を基に、一又は二以上の色で藺草原草を長さ方向に色分けするようにして図柄として表出する部分の全周を染色した藺草を使用している。
【００１５】
すなわち、一本の藺草に色が異なる複数の染色部分を有することで、しかも、それらが図柄の着色の設計上、茣蓙の表面に表出する部分であることで、袋織りをすることなく、着色の設計通りに手織りや機械織りで行う標準織りによって、多色の図柄を織り出した茣蓙を作製することが可能になる。これにより、従来の袋織りにより多色の図柄を施した茣蓙より薄く、軽量な茣蓙が提供できる。
【発明の効果】
【００１６】
本発明は、織り込みにより、多色の図柄を織り出すことができ、しかも、染色した藺草を同列に多数使用する必要がなく、薄く、軽量につくることができる茣蓙の製造方法を提供することができる。
【図面の簡単な説明】
【００１７】
【図１】本発明の茣蓙の一実施の形態を示し、図２の着色の設計を基に図柄を織り出した茣蓙の説明図である。
【図２】本発明の茣蓙の製造方法の工程を示し、茣蓙の図柄を作製し、着色の設計を行った状態の説明図である。
【図３】本発明の茣蓙の製造方法の工程を示し、着色の設計に合わせて藺草の束を染色した状態を示し、（ａ）は図１のＷ１部分及びＷ３部分に対応した説明図、（ｂ）は図１のＷ２部分に対応した説明図、（ｃ）は図１のＷ４部分に対応した説明図である。
【発明を実施するための形態】
【００１８】
本発明を図面に示した実施の形態に基づき詳細に説明する。
図１、図２及び図３を参照する。
茣蓙Ｍは、標準織りによって多色のモミジの図柄Ｐを施した、いわゆる花茣蓙であり、本実施の形態では、緑色、黄色、茶色、橙色、赤色の五色、及び泥染めによる色が使用されている。
【００１９】
茣蓙Ｍは、表面に、図柄の１単位Ｐ0を茣蓙Ｍの長手方向（図１では縦方向）に繰り返し織り出して施された多色のモミジの図柄Ｐを有している。図柄の１単位Ｐ0は、茣蓙Ｍの長手方向にほぼ等幅で並んだ柄区画Ｗ１、Ｗ２、Ｗ３、及びＷ４に表れた図柄Ｐ1、Ｐ2、Ｐ3、Ｐ4、Ｐ5、Ｐ6、及びＰ7で構成されている。
【００２０】
柄区画Ｗ１に表れた図柄Ｐ1には緑色が使用され、柄区画Ｗ２に表れた図柄Ｐ2には黄色が使用され、図柄Ｐ3には茶色が使用されている。また、柄区画Ｗ３に表れた図柄Ｐ4には上記図柄Ｐ1と同様に緑色が使用されている。更に、柄区画Ｗ４に表れた図柄Ｐ5には橙色が使用され、図柄Ｐ6には茶色が使用され、図柄Ｐ7には赤色が使用されている。
【００２１】
なお、柄区画Ｗ１、Ｗ２、Ｗ３、及びＷ４は、後述する染色藺草１、２、又は３と、泥染めをした藺草（符号省略）を所要の割合で織り込んで形成されている。本実施の形態では、織り込まれる染色藺草と泥染め藺草の割合は、１：３であるが、この割合に限定されるものではない。
【００２２】
（作用）
図１ないし図３を参照して、茣蓙Ｍの製造方法及びその方法によりつくられた茣蓙Ｍの作用について説明する。
【００２３】
（１）緑色、黄色、茶色、橙色、赤色の五色、及び泥染めによる色を使用した多色のモミジの図柄Ｐを作製して、着色の設計をする。具体的には、茣蓙の長さ方向に繰り返し織り出す図柄の１単位Ｐ0を作製し、この図柄の１単位Ｐ0を茣蓙の長さ方向に四等分して、柄区画Ｗ１、Ｗ２、Ｗ３、及びＷ４を設定する（図２参照）。
【００２４】
（２）そして、柄区画Ｗ１に表れた図柄Ｐ1、柄区画Ｗ２に表れた図柄Ｐ2、Ｐ3、柄区画Ｗ３に表れた図柄Ｐ4、柄区画Ｗ４に表れた図柄Ｐ5、Ｐ6、Ｐ7ごとに、使用する色の設定をする。本実施の形態では、図柄Ｐ1には緑色を設定し、図柄Ｐ2には黄色を設定し、図柄Ｐ3には茶色を設定する。また、図柄Ｐ4には緑色を設定する。更に、図柄Ｐ5には橙色を設定し、図柄Ｐ6には茶色を設定し、図柄Ｐ7には赤色を設定する。この色の設定は、特に限定するものではなく、色数、色の種類共、適宜変更することができる。
【００２５】
（３）上記（２）の着色の設計に合わせて、一又は二以上の色で藺草原草を長さ方向に色分けするように、図柄Ｐ1〜Ｐ7として表出する部分の全周を捺染により染色する。具体的には、図柄Ｐ1が表れた柄区画Ｗ１、及び図柄Ｐ4が表れた柄区画Ｗ３に使用する藺草原草の全体を緑色（Ｃ１）で染めて、染色域１１を有する染色藺草１をつくり、織成機で使用するため染色藺草１を多数集めて染色藺草群Ｇ１としておく（図３（ａ）参照）。
【００２６】
また、図柄Ｐ2及び図柄Ｐ3が表れる柄区画Ｗ２に使用する藺草原草を、長さ方向の二箇所を所要の範囲で黄色（Ｃ２）と茶色（Ｃ３）で染めて、染色域２１、２２を有する染色藺草２をつくり、これらを多数集めて染色藺草群Ｇ２としておく（図３（ｂ）参照）。
【００２７】
更に、図柄Ｐ5、Ｐ6、Ｐ7が表れる柄区画Ｗ４に使用する藺草原草を、長さ方向の三箇所を所要の範囲で橙色（Ｃ４）、茶色（Ｃ３）、赤色（Ｃ５）で染めて、染色域３１、３２、３３を有する染色藺草３をつくり、これらを多数集めて染色藺草群Ｇ３としておく（図３（ｃ）参照）。
なお、この染色は、捺染に限定されず、漬け染め等、他の方法により行うこともできる。また、染色作業は、使用する藺草原草を多数まとめて一度に行うのが好ましいが、限定はされない。
【００２８】
（４）上記三種類の染色藺草群Ｇ１、Ｇ２、Ｇ３、及び藺草原草を泥染めにより着色した着色藺草群（図示省略）を織成機（図示省略）にセットし、上記設計通りに織り込んで、表面に上記モミジの図柄Ｐを織り出した茣蓙Ｍを織成する。
【００２９】
このように、一本の藺草に色が異なる複数の染色部分（染色域１１、２１、２２、３１、３２、３３）を有することで、しかも、それらが図柄Ｐ1〜Ｐ7の着色の設計上、茣蓙Ｍの表面に表出する部分であることで、例えば袋織りをすることなく、着色の設計通りに手織りや機械織りで行う標準織りによって、多色のモミジの図柄Ｐを織り出した茣蓙Ｍを作製することが可能になる。これにより、従来の袋織りにより多色の図柄を施した茣蓙より薄く、軽量な茣蓙Ｍが提供できる。
【００３０】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００３１】
Ｍ  茣蓙
Ｐ  モミジの図柄
Ｐ0  図柄の１単位
Ｗ１、Ｗ２、Ｗ３、Ｗ４  柄区画
Ｐ1、Ｐ2、Ｐ3、Ｐ4、Ｐ5、Ｐ6、Ｐ7  図柄
１、２、３  染色藺草
１１、２１、２２、３１、３２、３３  染色域
Ｇ１、Ｇ２、Ｇ３  染色藺草群
Ｃ１  緑色
Ｃ２  黄色
Ｃ３  茶色
Ｃ４  橙色
Ｃ５  赤色
【図１】
2015223223.tif 000003
【図２】
2015223223.tif 000004
【図３】
2015223223.tif 000005